(57)【要約】【課題】ヒューズの抜去時に、ユーザが電路の開閉を意識することなく、アーク放電の発生を自動的に抑制すること。【解決手段】本発明は、ヒューズ１０と、ヒューズ１０が挿抜可能に構成され、ヒューズ１０の挿入によりヒューズ１０を通して電路３０の端点と電路４０の端点とを接続させるヒューズホルダ２０と、からなるヒューズ装置に適用される。ここで、ヒューズホルダ２０は、電路３０上に配設された接点２１を有し、ヒューズ１０は、ヒューズ１０の挿入時には、接点２１を閉状態とし、ヒューズ１０の抜去時には、電路３０の端点と電路４０の端点とが切断される前に、接点２１を開状態にする接点開閉端子１３を有する。【選択図】図１
2011210428.tif 000002
【特許請求の範囲】
【請求項１】
ヒューズと、当該ヒューズが挿抜可能に構成され、当該ヒューズの挿入により当該ヒューズを通して第１の電路の端点と第２の電路の端点とを接続させるヒューズホルダと、からなるヒューズ装置であって、
前記ヒューズホルダは、前記第１の電路上または前記第２の電路上に配設された接点を有し、
前記ヒューズは、当該ヒューズの挿入時には、前記接点を閉状態とし、当該ヒューズの抜去時には、前記第１の電路の端点と前記第２の電路の端点とが切断される前に、前記接点を開状態にする接点開閉端子を有する、ヒューズ装置。
【請求項２】
前記接点開閉端子は、前記ヒューズの挿入により前記第１の電路の端点および前記第２の電路の端点にそれぞれ接触する当該ヒューズの第１および第２の端子とは別に設けられている、請求項１に記載のヒューズ装置。
【請求項３】
前記接点開閉端子は、前記ヒューズの挿入により前記第１の電路の端点および前記第２の電路の端点にそれぞれ接触する当該ヒューズの第１および第２の端子のうち、前記接点が配設された電路の端点に接触する端子で兼用される、請求項１に記載のヒューズ装置。
【発明の詳細な説明】
【技術分野】
【０００１】
本発明は、ヒューズと、ヒューズが挿抜可能に構成されるヒューズホルダと、からなるヒューズ装置に関する。
【背景技術】
【０００２】
図５に示すように、ヒューズ１０と、ヒューズ１０が挿抜可能に構成されるヒューズホルダ２０と、からなるヒューズ装置がある。
【０００３】
図５に示したヒューズ装置においては、ヒューズ１０がヒューズホルダ２０に挿入されると、ヒューズ１０の一方の端子１１が電路３０の端点に接触し、他方の端子１２が電路４０の端点に接触し、それにより、ヒューズ１０を通して電路３０の端点と電路４０の端点とが電気的に接続されることになる。
【０００４】
しかしながら、図５に示したヒューズ装置においては、ヒューズ１０を通して電路３０，４０が通電している状態でヒューズ１０が抜去されると、図６に示すように、アーク放電が発生し、引火、爆発等の事故を誘発する危険性があった。
【０００５】
そこで、ヒューズの抜去時にアーク放電の発生を抑制するために、例えば、非特許文献１に記載されているように、電路上に接点を設け、その接点をスライドスイッチで開閉する構成とすることも考えられる。
【０００６】
この構成によれば、ヒューズの抜去時には、まず、スライドスイッチをＯＦＦにして電路を開路してから、ヒューズの抜去を行うことにより、ヒューズ抜去時のアーク放電の発生を抑制することが可能となる。
【先行技術文献】
【非特許文献】
【０００７】
【非特許文献１】２００９年  電子情報通信学会総合大会（２００９／３／１７〜２０  松山市）  講演論文集  「直流４００Ｖ用コネクタ・プラグの開発」
【発明の概要】
【発明が解決しようとする課題】
【０００８】
しかしながら、上述の非特許文献１に記載の技術を利用した構成では、ユーザが意識的にスライドスイッチをＯＦＦにする必要があり、もしスライドスイッチをＯＦＦにするのを忘れた場合は、ヒューズを抜去できなくなるのでアーク放電が発生することはなくなるものの、スムーズにヒューズ交換作業を行えなくなる。
【０００９】
そこで、本発明の目的は、非特許文献１に記載のスライドスイッチを使用しないで行う従来と同様のヒューズ交換作業過程において、ヒューズの抜去時に、ユーザが電路の開閉を意識することなく、アーク放電の発生を自動的に抑制することができるヒューズ装置を提供することにある。
【課題を解決するための手段】
【００１０】
本発明のヒューズ装置は、
ヒューズと、当該ヒューズが挿抜可能に構成され、当該ヒューズの挿入により当該ヒューズを通して第１の電路の端点と第２の電路の端点とを接続させるヒューズホルダと、からなるヒューズ装置であって、
前記ヒューズホルダは、前記第１の電路上または前記第２の電路上に配設された接点を有し、
前記ヒューズは、当該ヒューズの挿入時には、前記接点を閉状態とし、当該ヒューズの抜去時には、前記第１の電路の端点と前記第２の電路の端点とが切断される前に、前記接点を開状態にする接点開閉端子を有することを特徴とする。
【００１１】
また、前記接点開閉端子は、前記ヒューズの挿入により前記第１の電路の端点および前記第２の電路の端点にそれぞれ接触する当該ヒューズの第１および第２の端子とは別に設けられていることを特徴とする。
【００１２】
また、前記接点開閉端子は、前記ヒューズの挿入により前記第１の電路の端点および前記第２の電路の端点にそれぞれ接触する当該ヒューズの第１および第２の端子のうち、前記接点が配設された電路の端点に接触する端子で兼用されることを特徴とする。
【発明の効果】
【００１３】
本発明によれば、ヒューズホルダは、第１の電路上または第２の電路上に配設された接点を有し、ヒューズは、ヒューズの挿入時には、上記接点を閉状態とし、ヒューズの抜去時には、第１の電路の端点と第２の電路の端点とが切断される前に、上記接点を開状態にする接点開閉端子を有する。
【００１４】
このように、本発明においては、第１の電路または第２の電路に配設された接点の開閉を、非特許文献１のようにユーザが意識的に操作する必要があるスライドスイッチで行うのではなく、ヒューズに設けた単なる端子（接点開閉端子）で行うこととし、ヒューズの抜去時には、ユーザが意識しなくても、まず、この接点開閉端子により第１の電路または第２の電路のうち上記接点が配設された電路が開路され、その後に、第１の電路の端点と第２の電路の端点とが切断される。
【００１５】
したがって、ヒューズの抜去時に、ユーザが電路の開閉を意識することなく、アーク放電の発生を自動的に抑制することができるという効果が得られる。
【図面の簡単な説明】
【００１６】
【図１】本発明の第１の実施形態のヒューズ装置の構成を示す図である。
【図２】図１に示したヒューズ装置におけるヒューズ挿抜時の状態を示す図である。
【図３】本発明の第２の実施形態のヒューズ装置の構成を示す図である。
【図４】図３に示したヒューズ装置におけるヒューズ挿抜時の状態を示す図である。
【図５】従来のヒューズ装置の構成の一例を示す図である。
【図６】図５に示したヒューズ装置におけるヒューズ挿抜時の状態を示す図である。
【発明を実施するための形態】
【００１７】
以下に、本発明を実施するための形態について図面を参照して説明する。
（第１の実施形態）
図１に示すように、本実施形態のヒューズ装置においては、ヒューズホルダ２０側に、電路３０上に配設される接点２１が設けられ、ヒューズ１０側に、接点２１を開閉する接点開閉端子１３が設けられている。
【００１８】
ここで、接点開閉端子１３および接点２１は、ヒューズ１０の挿入時には、接点開閉端子１３の押下げにより接点２１が閉状態となり、また、ヒューズ１０の抜去時には、電路３０の端点と電路４０の端点とが電気的に切断される前に、接点開閉端子１３により接点２１が開状態となるように構成されている。
【００１９】
このような構成は、例えば、ヒューズ１０の端子１１〜１３の長さ、ヒューズホルダ２０の端子１１〜１３が挿入される挿入部分の深さ、端子１１と電路３０の端点との接触点の位置、端子１２と電路４０の端点との接触点の位置、接点２１の位置等を調整することにより実現可能であるが、実現方法に特に限定はない。
【００２０】
ここで、本実施形態のヒューズ装置におけるヒューズ１０の挿抜時の状態について、図２を参照して説明する。
【００２１】
図２（ａ）に示すように、ヒューズ１０の各端子１１〜１３をヒューズホルダ２０に挿入すると、端子１１，１２がそれぞれ電路３０，４０の端点に接触し、接点開閉端子１３の押下げにより接点２１が閉状態になる。
【００２２】
また、図２（ｂ）に示すように、ヒューズ１０の各端子１１〜１３をヒューズホルダ２０から抜去すると、まず、接点開閉端子１３により接点２１が開状態になり、その後に、端子１１が電路３０の端点から、端子１２が電路４０の端点から、それぞれ離れ、電路３０の端点と電路４０の端点とが電気的に切断される。
【００２３】
このように、本実施形態においては、電路３０上の接点２１の開閉を、非特許文献１のようにユーザが意識的に操作する必要があるスライドスイッチで行うのではなく、ヒューズ１０に設けた単なる端子（接点開閉端子１３）で行うこととし、ヒューズ１０の抜去時には、ユーザが意識しなくても、まず、この接点開閉端子１３により電路３０が開路され、その後に、電路３０の端点と電路４０の端点とが電気的に切断される。
【００２４】
したがって、ヒューズの抜去時に、ユーザが電路の開閉を意識することなく、アーク放電の発生を自動的に抑制することができる。
（第２の実施形態）
図３に示すように、本実施形態のヒューズ装置は、図１に示した第１の実施形態と比較して、接点２１が配設されている電路３０の端点に接触する端子１１が、第１の実施形態における接点開閉端子１３を兼用している点が異なる。
【００２５】
ここで、ヒューズ１０の挿入が完了した状態では、端子１１は、電路３０の端点に対し、先端部分で接触するのではなく、略中央部分で接触することになる。そのため、端子１１の先端部分は絶縁としても良いし、非絶縁としても良い。
【００２６】
端子１１および接点２１は、ヒューズ１０の挿入時には、端子１１の押下げにより接点２１が閉状態となり、また、ヒューズ１０の抜去時には、電路３０の端点と電路４０の端点とが電気的に切断される前に、端子１１により接点２１が開状態となるように構成されている。
【００２７】
このような構成は、例えば、ヒューズ１０の端子１１，１２の長さ、ヒューズホルダ２０の端子１１，１２が挿入される挿入部分の深さ、端子１１と電路３０の端点との接触点の位置、端子１２と電路４０の端点との接触点の位置、接点２１の位置等を調整することにより実現可能であるが、実現方法に特に限定はない。
【００２８】
ここで、本実施形態のヒューズ装置におけるヒューズ１０の挿抜時の状態について、図４を参照して説明する。
【００２９】
図４（ａ）に示すように、ヒューズ１０の各端子１１，１２をヒューズホルダ２０に挿入すると、端子１１，１２がそれぞれ電路３０，４０の端点に接触し、さらに、端子１１の押下げにより接点２１が閉状態になる。
【００３０】
また、図４（ｂ）に示すように、ヒューズ１０の各端子１１，１２をヒューズホルダ２０から抜去すると、まず、端子１１により接点２１が開状態になり、その後に、端子１１が電路３０の端点から、端子１２が電路４０の端点から、それぞれ離れ、電路３０の端点と電路４０の端点とが電気的に切断される。
【００３１】
このように、本実施形態においては、電路３０上の接点２１の開閉を、非特許文献１のようにユーザが意識的に操作する必要があるスライドスイッチで行うのではなく、ヒューズ１０に設けた単なる端子（端子１１）で行うこととし、ヒューズ１０の抜去時には、ユーザが意識しなくても、まず、この端子１１により電路３０が開路され、その後に、電路３０の端点と電路４０の端点とが電気的に切断される。
【００３２】
したがって、ヒューズの抜去時に、ユーザが電路の開閉を意識することなく、アーク放電の発生を自動的に抑制することができる。
【００３３】
なお、第１および第２の実施形態においては、接点２１を電路３０上に配設したが、電路４０上に配設することも当然に可能である。その場合、第２の実施形態においては、電路４０の端点と接触する端子１２が、第１の実施形態における接点開閉端子１３を兼用することになる。
【符号の説明】
【００３４】
１０    ヒューズ
１１，１２    端子
１３    接点開閉端子
２０    ヒューズホルダ
２１    接点
３０，４０    電路
【図１】
2011210428.tif 000003
【図２】
2011210428.tif 000004
【図３】
2011210428.tif 000005
【図４】
2011210428.tif 000006
【図５】
2011210428.tif 000007
【図６】
2011210428.tif 000008